(57)【要約】【課題】出隅部、入隅部に設けられる隅部金具を共通化し、部品製作費の軽減、部品管理の煩雑さの解消を図る。【解決手段】交差する笠木２が隅部金具２８により連結され、前記笠木が笠木底板７と笠木カバー８により構成され、前記隅部金具が継手部材３０と主片部材により構成され、前記継手部材が笠木底板の形状に対応して作製されると共に該笠木底板に取付け可能であり、前記主片部材が前記笠木カバーの形状に対応して作製され、前記主片部材が前記継手部材に一体化可能とした。【選択図】　　　　図２
2004019137.tif 000002
【特許請求の範囲】
【請求項１】
交差する笠木が隅部金具により連結され、前記笠木が笠木底板と笠木カバーにより構成され、前記隅部金具が継手部材と主片部材により構成され、前記継手部材が笠木底板の形状に対応して作製されると共に該笠木底板に取付け可能であり、前記主片部材が前記笠木カバーの形状に対応して作製され、前記主片部材が前記継手部材に一体化可能であることを特徴とする手摺隅部の構造。
【請求項２】
前記継手部材と主片部材とは１８０°相対回転させ一体化可能である請求項１の手摺隅部の構造。
【発明の詳細な説明】
【０００１】
【発明の属する技術分野】
本発明はベランダ、階段等に設けられる手摺、特に手摺隅部の構造に関するものである。
【０００２】
【従来の技術】
先ず、図６により手摺の概略について説明する。所要間隔で手摺支柱１が立設され、該手摺支柱１の上端には笠木２が掛渡され、固着される。前記手摺支柱１の下部にはブラケット３が固着され、該ブラケット３には断面が中空矩形の下枠材４の端部が嵌合固定され、前記手摺支柱１間に前記下枠材４が掛渡される。前記笠木２と前記下枠材４間に格子５が所要間隔で設けられている。
【０００３】
図６は手摺出隅部を示しているが、交差する前記下枠材４，４間にはコーナ部６が設けられ、前記下枠材４，４は前記コーナ部６を介して連結されている。
【０００４】
前記笠木２は図７に示される様に、笠木底板７及び笠木カバー８から構成される。前記笠木底板７の両端部外側には係合溝９が形成され、前記笠木カバー８は前記笠木底板７によって閉塞される凹状断面部１１を有し、該凹状断面部１１の両内側面下部には前記係合溝９に嵌合する突条１２が形成されている。
【０００５】
前記笠木底板７は螺子等の固定具で前記手摺支柱１に固定され、前記笠木カバー８は前記突条１２が係合溝９に嵌合されることで前記笠木底板７に取付けられる。
【０００６】
交差する前記笠木底板７，７間には隅部金具１３が設けられ、前記笠木底板７が螺子等の固定具１４により前記隅部金具１３に固定されることで、交差する前記笠木底板７，７は前記隅部金具１３を介して連結される。前記笠木カバー８の端部は前記隅部金具１３を覆う様に前記笠木底板７に取付けられる。
【０００７】
前記笠木カバー８は意匠上の観点から、種々の断面形状にデザインされ、断面形状が非対称となることが多い。図７に示す該笠木カバー８も前記凹状断面部１１から庇部１５が形成され、非対称断面となっている。
【０００８】
図８に示される様に、前記隅部金具１３は前記笠木カバー８の断面形状に合わせて作製されており、該笠木カバー８に対して４５°の方向に延びる主片部１７と該主片部１７から４５゜の方向に延びる継手片１８，１９及び棚片２１，２２が前記主片部１７の両面に形成され、前記継手片１８，１９が前記固定具１４により前記笠木底板７に固着され、前記棚片２１に前記笠木カバー８の凹状断面部１１の端部が、又前記棚片２２に前記笠木カバー８の庇部１５の端部がそれぞれ載置される。
【０００９】
手摺は設けられる状況により、入隅部が設けられる場合がある。
【００１０】
入隅部について、図９、図１０により説明する。
【００１１】
入隅部の場合も、出隅部の場合と同様、交差する前記笠木底板７，７間には隅部金具２３が設けられ、前記笠木底板７が螺子等の固定具１４により前記隅部金具２３に固定されることで、交差する前記笠木底板７，７は前記隅部金具２３を介して連結される。前記笠木カバー８の端部は前記隅部金具２３を覆う様に前記笠木底板７に取付けられる。入隅部の場合、出隅部の場合と比較して前記笠木カバー８の断面と前記笠木底板７の断面とは１８０°相対的に回転させた状態となっている。
【００１２】
前記隅部金具２３には前記隅部金具１３と同様に、主片部１７に対し棚片２１，２２、継手片２４，２５が形成されるが、該継手片２４，２５は前記継手片１８，１９とは位置、角度が対称的に作製されている。
【００１３】
【発明が解決しようとする課題】
上記した様に、従来の手摺隅部の構造では出隅部、入隅部に設けられる隅部金具１３、隅部金具２３の形状が異なっている為、非対称な断面形状を有する笠木に対しては２種類の隅部金具を必要としていた。この為、部品点数が多くなり、又製作する為の型代が高くなる、或は部品管理が煩雑になる等の不具合があった。
【００１４】
本発明は斯かる実情に鑑み、出隅部、入隅部に設けられる隅部金具を共通化し、部品製作費の軽減、部品管理の煩雑さの解消等を図るものである。
【００１５】
【課題を解決するための手段】
本発明は、交差する笠木が隅部金具により連結され、前記笠木が笠木底板と笠木カバーにより構成され、前記隅部金具が継手部材と主片部材により構成され、前記継手部材が笠木底板の形状に対応して作製されると共に該笠木底板に取付け可能であり、前記主片部材が前記笠木カバーの形状に対応して作製され、前記主片部材が前記継手部材に一体化可能である手摺隅部の構造に係り、又前記継手部材と主片部材とは１８０°相対回転させ一体化可能である手摺隅部の構造に係るものである。
【００１６】
【発明の実施の形態】
以下、図面を参照しつつ本発明の実施の形態を説明する。
【００１７】
本発明に係る隅部金具２８は図６で例示される様な手摺隅部に設けられる。
【００１８】
該隅部金具２８は一体成型品の主片部材２９、一体成型品の継手部材３０によって構成され、前記主片部材２９は笠木カバーの形状に合致して笠木カバーに取付け可能であり、前記継手部材３０は笠木底板に合致する形状を有し、該笠木底板に取付け可能である。尚、図８中で示したものと同等のものには同符号を付してある。
【００１９】
前記主片部材２９は、笠木カバー８（図７参照）の断面形状に略等しい外形形状の主片部３１を有し、該主片部３１の上縁に沿って棚片２１、棚片２２が形成されている。尚、該棚片２１、棚片２２の上面は前記主片部３１の上縁から前記笠木カバー８の板厚分だけ下がった位置となっている。
【００２０】
前記主片部３１の前記笠木カバー８の凹状断面部１１に相当する部分の下端部が欠切され凹部３２が形成される。該凹部３２に臨接し、該凹部３２の中心に位置する様に上連結片３３が突設され、該上連結片３３には連結孔３４が穿設されている。又、前記上連結片３３の下面は前記凹部３２の上縁と面一となっている。
【００２１】
前記継手部材３０は前記凹部３２と合致する形状の基板部３５を具備し、該基板部３５の左右両面にそれぞれ継手片１８，１９が形成され、該継手片１８，１９の下面は前記基板部３５の下面に対し前記笠木底板７の板厚分だけ段差がついている。前記基板部３５の上縁に沿って又該基板部３５の中央に位置する様に下連結片３６が突設され、該下連結片３６には連結孔３７が穿設されている。又、前記下連結片３６の上面は前記基板部３５の上面と面一となっている。
【００２２】
而して、前記継手部材３０は前記凹部３２に嵌合可能であり、嵌合した状態では前記上連結片３３と下連結片３６とが密着し、前記連結孔３４と前記連結孔３７を挿通した螺子等の固定具により固定することで前記主片部材２９と継手部材３０は一体化される。又、該継手部材３０は前記主片部材２９に対して水平面内を１８０°回転させても嵌合可能であり、又前記上連結片３３、下連結片３６は中央にあるので、回転させても位置関係は変らず、同様に螺子等の固定具により一体化可能である。
【００２３】
図２、図３は前記隅部金具２８が出隅部に設けられた場合を示している。尚、図２、図３中、図６中で示したものと同等のものには同符号を付してある。
【００２４】
交差する笠木底板７，７の端部をそれぞれ前記継手部材３０の継手片１８，１９を介して螺子等の固定具により固着する。前記主片部材２９を前記棚片２２が外角側（前記笠木カバー８の角部の角度が４５°の側）に位置する様にして前記凹部３２に前記基板部３５を嵌合する。固定具、例えばボルト３９を前記連結孔３７、連結孔３４に挿通し、前記主片部材２９と前記継手部材３０とを一体化し、隅部金具２８とする。
【００２５】
前記笠木カバー８，８を前記笠木底板７，７に嵌込み、先端を前記主片部材２９の主片部３１に突当てる。前記笠木カバー８，８は笠木底板７，７、隅部金具２８を介して連結される。出隅部では庇部１５が外角側に位置する。
【００２６】
尚、前記継手部材３０と前記主片部材２９とを予め一体化して隅部金具２８とし、該隅部金具２８を前記笠木底板７に取付け、更に前記笠木カバー８を取付ける様にしてもよい。
【００２７】
前記主片部３１は前記笠木カバー８，８間に露出する状態となり、該笠木カバー８の端面同士が直接接合しないので、該笠木カバー８の端面が前記主片部３１に隠れることとなり、外観に優れる。
【００２８】
図４、図５は前記隅部金具２８が入隅部に設けられた場合を示している。
【００２９】
交差する前記笠木底板７，７の端部をそれぞれ前記継手部材３０の継手片１８，１９を介して螺子等の固定具により固着する。前記主片部材２９を前記棚片２２が内角側（前記笠木カバー８の角部の角度が１３５°の側）に位置する様にして前記凹部３２に前記基板部３５を嵌合する。固定具、例えば前記ボルト３９を前記連結孔３７、連結孔３４に挿通し、前記主片部材２９と前記継手部材３０とを一体化し、前記隅部金具２８とする。
【００３０】
前記笠木カバー８，８を前記笠木底板７，７に嵌込み、先端を前記主片部材２９の主片部３１に突当てる。前記笠木カバー８，８は前記笠木底板７，７、隅部金具２８を介して連結される。入隅部では前記庇部１５は内角側に位置する。
【００３１】
尚、前記継手部材３０と前記主片部材２９とを予め一体化して前記隅部金具２８とし、該隅部金具２８を前記笠木底板７に取付け、更に前記笠木カバー８を取付ける様にしてもよいことは前述したと同様である。
【００３２】
而して、本実施の形態では断面形状が非対称な笠木に於いて、同一の隅部金具２８により出隅部、入隅部のいずれの場合も対応することができる。
【００３３】
尚、前記主片部材２９、継手部材３０の形状は上記実施の形態に限定されるものではなく、前記主片部材２９が前記笠木カバー８の形状に合わせて作製され、該笠木カバー８に取付け可能であり、又前記継手部材３０が前記笠木底板７の形状に合わせて作製され、該笠木底板７に取付け可能であり、前記主片部材２９と前記継手部材３０が一体化可能であればよく、更に又、これらが共に相対的に１８０°回転させて一体化可能である様になっていてもよい。
【００３４】
又、前記主片部材２９と継手部材３０がボルト３９により一体化される様にしたが、前記主片部材２９と継手部材３０を前記笠木底板７に共締して一体化する構造としてもよい。
【００３５】
【発明の効果】
以上述べた如く本発明によれば、交差する笠木が隅部金具により連結され、前記笠木が笠木底板と笠木カバーにより構成され、前記隅部金具が継手部材と主片部材により構成され、前記継手部材が笠木底板の形状に対応して作製されると共に該笠木底板に取付け可能であり、前記主片部材が前記笠木カバーの形状に対応して作製され、前記主片部材が前記継手部材に一体化可能であり、又、前記継手部材と主片部材とは１８０°相対回転させ一体化可能であるので、笠木の断面が非対称なものに対しても出隅部、入隅部に共通して使用可能となり、部品製作費の軽減、部品管理の煩雑さの解消が図れる等種々の優れた効果を発揮する。
【図面の簡単な説明】
【図１】本発明の実施の形態に使用される隅部金具を示す斜視図である。
【図２】本発明の実施の形態の一態様を示す要部斜視図である。
【図３】該一態様での前記隅部金具の使用状態を示す斜視図である。
【図４】本発明の実施の形態の他の態様を示す要部斜視図である。
【図５】該他の態様での前記隅部金具の使用状態を示す斜視図である。
【図６】手摺出隅部の構造を示す斜視図である。
【図７】手摺笠木の断面図である。
【図８】手摺出隅部に設けられる従来の隅部金具の斜視図である。
【図９】手摺入隅部の構造を示す要部斜視図である。
【図１０】手摺入隅部に設けられる従来の隅部金具の斜視図である。
【符号の説明】
２　　　　　笠木
７　　　　　笠木底板
８　　　　　笠木カバー
１５　　　　庇部
１８　　　　継手片
１９　　　　継手片
２８　　　　隅部金具
２９　　　　主片部材
３０　　　　継手部材
３１　　　　主片部
３２　　　　凹部
３３　　　　上連結片
３５　　　　基板部
３６　　　　下連結片
【図１】
2004019137.tif 000003
【図２】
2004019137.tif 000004
【図３】
2004019137.tif 000005
【図４】
2004019137.tif 000006
【図５】
2004019137.tif 000007
【図６】
2004019137.tif 000008
【図７】
2004019137.tif 000009
【図８】
2004019137.tif 000010
【図９】
2004019137.tif 000011
【図１０】
2004019137.tif 000012